(57)【要約】【課題】カウンターウエイトを安全かつ能率よく揚重して乗りかごを所定のレベルまで下げることができるエレベータのカウンターウエイト揚重方法を提供する。【解決手段】昇降路２のピット３の底部とエレベータのカウンターウエイト１との間に、嵩上げ台１０と加圧ジャッキ１２とを上下方向に並べて設け、前記加圧ジャッキ１２の下に重ねて配置させる嵩上げ台１０の台数を変えることと、前記加圧ジャッキ１２を伸縮させることとを繰り返すことにより、前記カウンターウエイト１を順次押し上げて揚重し、この後、昇降路２のピット３の底部とエレベータのカウンターウエイト１との間に、加圧ジャッキ１２と伸縮調整可能な伸縮装置とを上下方向に並べて設け、前記加圧ジャッキ１２を伸縮させることと、前記伸縮装置を伸長させることとを繰り返すことにより、前記カウンターウエイト１をさらに押し上げて揚重する。【選択図】    図１
2004189344.tif 000002
【特許請求の範囲】
【請求項１】
昇降路のピットの底部とエレベータのカウンターウエイトとの間に、嵩上げ台と加圧ジャッキとを上下方向に並べて設け、前記加圧ジャッキの下に重ねて配置させる嵩上げ台の台数を変えることと、前記加圧ジャッキを伸縮させることとを繰り返すことにより、前記カウンターウエイトを順次押し上げて揚重することを特徴とするエレベータのカウンターウエイト揚重方法。
【請求項２】
昇降路のピットの底部とエレベータのカウンターウエイトとの間に、加圧ジャッキと伸縮調整可能な伸縮装置とを上下方向に並べて設け、前記加圧ジャッキを伸縮させることと、前記伸縮装置を伸長させることとを繰り返すことにより、前記カウンターウエイトを順次押し上げて揚重することを特徴とするエレベータのカウンターウエイト揚重方法。
【請求項３】
昇降路のピットの底部とエレベータのカウンターウエイトとの間に、嵩上げ台と加圧ジャッキとを上下方向に並べて設け、前記加圧ジャッキの下に重ねて配置させる嵩上げ台の台数を変えることと、前記加圧ジャッキを伸縮させることとを繰り返すことにより、前記カウンターウエイトを順次押し上げて揚重し、この後、昇降路のピットの底部とエレベータのカウンターウエイトとの間に、加圧ジャッキと伸縮調整可能な伸縮装置とを上下方向に並べて設け、前記加圧ジャッキを伸縮させることと、前記伸縮装置を伸長させることとを繰り返すことにより、前記カウンターウエイトをさらに押し上げて揚重することを特徴とするエレベータのカウンターウエイト揚重方法。
【請求項４】
上下方向に並ぶ前記嵩上げ台と加圧ジャッキとの組み合わせは、前記カウンターウエイトの下面の長手方向に沿う方向に並んで複数組設けられることを特徴とする請求項１または３に記載のエレベータのカウンターウエイト揚重方法。
【請求項５】
上下方向に並ぶ前記加圧ジャッキと伸縮装置との組み合わせは、前記カウンターウエイトの下面の長手方向に沿う方向に並んで複数組設けられることを特徴とする請求項２または３に記載のエレベータのカウンターウエイト揚重方法。
【請求項６】
前記伸縮装置には、前記カウンターウエイト用のガイドレールと摺動自在に係合して前記加圧ジャッキの伸長動作時に前記伸縮装置と一体に上方に移動する振れ止め装置が設けられることを特徴とする請求項２、３または５に記載のエレベータのカウンターウエイト揚重方法。
【発明の詳細な説明】
【０００１】
【発明の属する技術分野】
この発明は、エレベータのカウンターウエイトを揚重する方法に関する。
【０００２】
【従来の技術】
建屋の昇降路内に設置されるエレベータは、巻上機のシーブに巻き掛けられたメインロープの一端に乗りかごが、他端にカウンターウエイトがそれぞれ連結されて昇降路内に吊り下げられている。そして前記巻上機によりメイロープが駆動されて乗りかごおよびカウンターウエイトが昇降路内で互いに逆方向に昇降する。
【０００３】
従来一般のエレベータにおいては、建屋の屋上に機械室が設けられ、その機械室内にメインロープを駆動する巻上機や、エレベータの運転を制御する制御盤が設けられているが、近年においては、建屋の屋上の機械室を省略し、乗りかごおよびカウンターウエイトが昇降する昇降路内の上部に巻上機や制御盤を設置するマシンルームレスタイプのエレベータが出現している。
【０００４】
このようなマシンルームレスタイプのエレベータにおいて、乗りかごが建屋の最上階付近で故障して停止したような場合には、その乗りかごをある程度下方に下げてその乗りかごの上の作業台の上に作業員が乗り込み、その作業台の上で昇降路内の上部に設置されている巻上機や制御盤を点検することになる。
【０００５】
乗りかごを下げる手段としては、乗りかごに重りを積み込んでカウンターウエイトよりも乗りかご側を重くし、この状態で巻上機のブレーキを開放して乗りかごを下げる方法、あるいはカウンターウエイトから重り部材を順次降ろして乗りかごよりもカウンターウエイト側を軽くし、この状態で巻上機のブレーキを開放して乗りかごを下げる方法、さらには昇降路内にチェーンブロックを設置し、カウンターウエイトの全体をその上方から揚重して乗りかごを下げる方法が採られる。
【０００６】
【発明が解決しようとする課題】
ところが、このような従来の方法では、電気系統の故障で乗りかごが建屋の最上階付近で停止したような場合、巻上機のブレーキ開放も困難で乗りかごを実際に下げることが難しくなる。またカウンターウエイトの重り部材を降ろしたり、カウンターウエイトをチェーンブロックで上方から揚重する方法では、作業員による高所作業や玉掛け作業が必要となり、作業員としても技能資格を要し、さらに重り部材を落とさないように細心の注意を払わなければならず、このため作業の全体が面倒で、能率が低下するという問題がある。
【０００７】
この発明はこのような点に着目してなされたもので、その目的とするところは、カウンターウエイトを安全かつ能率よく揚重して乗りかごを所定のレベルまで下げることができるエレベータのカウンターウエイト揚重方法を提供することにある。
【０００８】
【課題を解決するための手段】
請求項１の発明は、昇降路のピットの底部とエレベータのカウンターウエイトとの間に、嵩上げ台と加圧ジャッキとを上下方向に並べて設け、前記加圧ジャッキの下に重ねて配置させる嵩上げ台の台数を変えることと、前記加圧ジャッキを伸縮させることとを繰り返すことにより、前記カウンターウエイトを順次押し上げて揚重することを特徴としている。
【０００９】
請求項２の発明は、昇降路のピットの底部とエレベータのカウンターウエイトとの間に、加圧ジャッキと伸縮調整可能な伸縮装置とを上下方向に並べて設け、前記加圧ジャッキを伸縮させることと、前記伸縮装置を伸長させることとを繰り返すことにより、前記カウンターウエイトを順次押し上げて揚重することを特徴としている。
【００１０】
請求項３の発明は、昇降路のピットの底部とエレベータのカウンターウエイトとの間に、嵩上げ台と加圧ジャッキとを上下方向に並べて設け、前記加圧ジャッキの下に重ねて配置させる嵩上げ台の台数を変えることと、前記加圧ジャッキを伸縮させることとを繰り返すことにより、前記カウンターウエイトを順次押し上げて揚重し、この後、昇降路のピットの底部とエレベータのカウンターウエイトとの間に、加圧ジャッキと伸縮調整可能な伸縮装置とを上下方向に並べて設け、前記加圧ジャッキを伸縮させることと、前記伸縮装置を伸長させることとを繰り返すことにより、前記カウンターウエイトをさらに押し上げて揚重することを特徴としている。
【００１１】
請求項４の発明は、上下方向に並ぶ前記嵩上げ台と加圧ジャッキとの組み合わせは、前記カウンターウエイトの下面の長手方向に沿う方向に並んで複数組設けられることを特徴としている。
【００１２】
請求項５の発明は、上下方向に並ぶ前記加圧ジャッキと伸縮装置との組み合わせは、前記カウンターウエイトの下面の長手方向に沿う方向に並んで複数組設けられることを特徴としている。
【００１３】
請求項６の発明は、前記伸縮装置には、前記カウンターウエイト用のガイドレールと摺動自在に係合して前記加圧ジャッキの伸長動作時に前記伸縮装置と一体に上方に移動する振れ止め装置が設けられることを特徴としている。
【００１４】
【発明の実施の形態】
以下、この発明の実施形態について図面を参照して説明する。
乗りかご（図示せず）が建屋の最上階付近で故障して停止した場合、その乗りかごとメインロープを介して連結されたカウンターウエイト１は、図１に示すように昇降路２の最下部であるピット３の近くに配置する。
【００１５】
ピット３の底部には、バッファ台４が設けられ、このバッファ台４の上にカウンターウエイト１の下面と対向するようにバッファ５が設置されている。また、昇降路２内にはカウンターウエイト１の昇降を案内する一対のガイドレール６が設けられている。
【００１６】
カウンターウエイト１を揚重して乗りかごを下げる際には、まずピット３の底部のバッファ台４の上にカウンターウエイト１の下面に対向して左右に並ぶように嵩上げ台１０を設置する。嵩上げ台１０は、図２に示すように、例えばＨ形鋼材を用いて上下部に水平な上ベース１１ａと下ベース１１ｂとを一体に有する形状をなし、前記上ベース１１ａにボルト孔１５が、前記下ベース１１ｂにねじ孔１６が形成されている。
【００１７】
嵩上げ台１０は必要に応じて１台または複数台を上下に重ねて設置する。嵩上げ台１０を上下に重ねたときには、下側の嵩上げ台１０における上ベース１１ａのボルト孔１５から上側の嵩上げ台１０における下ベース１１ｂのねじ孔１６にボルト（図示せず）を螺挿してその上下の嵩上げ台１０を締結する。
【００１８】
図１（Ａ）の状態においては、嵩上げ台１０を上下に２台重ねて設置してある。嵩上げ台１０を設置した後には、その嵩上げ台１０とカウンターウエイト１との間に加圧ジャッキ１２を設置する。
【００１９】
加圧ジャッキ１２は、図３に示すような例えば油圧式のジャッキであって、一側部に操作部１３を有し、この操作部１３を手動で操作することにより、その操作に応じる油圧力でプランジャ１４が上方に進出して高さが伸長し、またその油圧力を解除することにより前記プランジャ１４が下降して高さが縮小するようになっている。
【００２０】
嵩上げ台１０とカウンターウエイト１との間に加圧ジャッキ１２を設置した後には、前記操作部１３を操作して図１（Ｂ）に示すように各加圧ジャッキ１２を伸長させ、カウンターウエイト１を上方に押し上げる。
【００２１】
カウンターウエイト１の押し上げに応じて、このカウンターウエイト１とメインロープを介して連結された乗りかごがその押し上げに相当する寸法分だけ下降する。
【００２２】
カウンターウエイト１を上方に押し上げた後には、各加圧ジャッキ１２を縮小操作し、各加圧ジャッキ１２をカウンターウエイト１と嵩上げ台１０との間から一旦取り外す。
【００２３】
メインロープを介して互いに連結されたカウンターウエイト１と乗りかごは重量的にほぼ平衡しており、またそのメインロープと巻上機のシーブとの間には大きな摩擦力が生じており、したがってカウンターウエイト１と嵩上げ台１０との間から加圧ジャッキ１２を取り外しても、カウンターウエイト１が下方にずれ下がるようなことはなく、その押し上げたレベルの位置にそのまま保持される。
【００２４】
カウンターウエイト１と嵩上げ台１０との間から加圧ジャッキ１２を取り外した後には、前記嵩上げ台１０の上に、他の嵩上げ台１０をさらに付け足すように重ね合わせて設置する。
【００２５】
そしてこの後、前記嵩上げ台１０とカウンターウエイト１との間に再び加圧ジャッキ１２を設置する。そして操作部１３を操作して加圧ジャッキ１２を伸長させ、カウンターウエイト１をさらに上方に押し上げる。
【００２６】
この後、再び加圧ジャッキ１２を縮小操作し、加圧ジャッキ１２をカウンターウエイト１と嵩上げ台１０との間から一旦取り外し、前記嵩上げ台１０の上にさらに他の嵩上げ台１０を付け足して設置し、その嵩上げ台１０とカウンターウエイト１との間に再び加圧ジャッキ１２を設置し、操作部１３を操作して加圧ジャッキ１２を伸長させ、カウンターウエイト１をさらに上方に押し上げる。
【００２７】
このような工程を必要回数繰り返してカウンターウエイト１をピット３の上方の所定のレベルの位置、すなわち後述するパイプサポート２０と加圧ジャッキ１２とを上下に並べて配置させることが可能な高さのレベル位置にまで押し上げる。
【００２８】
カウンターウエイト１を所定のレベルの位置まで押し揚げた後には、図４に示すように、カウンターウエイト１の下方に配置している各嵩上げ台１０および加圧ジャッキ１２を取り除く。
【００２９】
なお、嵩上げ台１０としては、図５に示すように、Ｈ形鋼材からなる一対の嵩上げ台部材１０ａを平面視がコ字状をなす連結板１０ｂで連結して一体的なユニット構造に構成したものを用いることも可能である。
【００３０】
カウンターウエイト１の下方から嵩上げ台１０および加圧ジャッキ１２を取り除いた後には、図６および図７に示すように、カウンターウエイト１の下面に伸縮装置としてのパイプサポート２０を取り付ける。このパイプサポート２０は、図８に拡大して示すように、外筒２１と、この外筒２１内に伸縮自在に挿入された内筒２２とを備えている。
【００３１】
外筒２１の下部の外周面にはねじ２３が形成され、このねじ２３に第１および第２の締め輪２５，２６が螺着され、また外筒２１の下部には、その軸方向に沿って切欠溝２７が形成されている。
【００３２】
内筒２２の周面には、その軸方向に沿って一定のピッチで並ぶ複数の透孔３０が形成され、これら透孔３０が前記切欠溝２７に対向するように配置されている。そして前記締め輪２５，２６間において、外筒２１の外部側から切欠溝２７を通して前記一つの透孔３０内にピン３２が脱着可能に差し込まれ、このピン３２が前記締め輪２５，２６間に配置することにより、外筒２１に対する内筒２２の軸方向の移動が阻止されている。
【００３３】
パイプサポート２０を伸縮させる際には、まずピン３２を抜き取り、内筒２２を外筒２１に対して突出あるいは挿入してパイプサポート２０の全長の長さを調整し、次に締め輪２５，２６間において、ピン３２を外筒２１の外部側から切欠溝２７を通して透孔３０内に差し込む。これにより、内筒２２の移動が阻止され、パイプサポート２０の全長の長さが調整後の所定の寸法となる。なお、ねじ２３に螺合された前記締め輪２５，２６を回してピン３２の位置を変えることにより、パイプサポート２０の全長の長さを微調整することができる。
【００３４】
外筒２１の上端部および内筒２２の下端部には、それぞれ受け板３４，３５が取り付けられ、これら受け板３４，３５にそれぞれ複数ずつボルト孔３６，３７が形成されている。
【００３５】
一方、図９に示すように、カウンターウエイト１の下面には、複数のねじ孔４０が形成されている。カウンターウエイト１の下面にパイプサポート２０を取り付ける際には、外筒２１の上端の受け板３４をカウンターウエイト１の下面に当て、ボルト孔３６からねじ孔４０にボルト４１を螺挿して締め付けることにより取り付ける。
【００３６】
カウンターウエイト１の下面には、その左右方向に並ぶように、パイプサポート２０を一対取り付ける。そしてこれらパイプサポート２０には振れ止め装置４５を設ける。この振れ止め装置４５は、図１０に示すように、パイプ４６と、このパイプ４６の両端部に設けられた係合部４７とを備えている。係合部４７は、パイプ４６にＵボルト４９を介して取り付けられたプレート５０と、このプレート５０の端部に取り付けられた噛合板５１とからなり、前記噛合板５１の一側縁に噛合溝５２が形成されている。
【００３７】
そして、図６および図７に示すように、前記パイプ４６にクランプ５４を介して前記パイプサポート２０が固定され、また前記噛合板５１の噛合溝５２がカウンターウエイト１用のガイドレール６に摺動自在に噛み合うように係合されている。
【００３８】
パイプサポート２０に振れ止め装置４５を取り付けた後には、図７に示すように、各パイプサポート２０の下方にそれぞれ加圧ジャッキ１２を設置する。そして各パイプサポート２０を伸長操作して内筒２２の受け板３５を加圧ジャッキ１２に当てる。
【００３９】
この状態で、各加圧ジャッキ１２を操作して伸長させる。加圧ジャッキ１２の伸長により、カウンターウエイト１がパイプサポート２０と一体に上方に押し上げられる。
【００４０】
パイプサポート２０が上方に移動する際には、振れ止め装置４５の噛合板５１がガイドレール６と噛合した状態で振れ止め装置４５の全体がパイプサポート２０と一体に上方に移動し、この振れ止め装置４５によりパイプサポート２０の振れが抑えられ、したがってカウンターウエイト１を円滑に押し上げることができる。
【００４１】
加圧ジャッキ１２でカウンターウエイト１およびパイプサポート２０を所定のストロークまで押し上げた後には、加圧ジャッキ１２を縮小させるとともに、パイプサポート２０をさらに伸長させるべく内筒２２を下方に突出させ、その受け板３５を前記加圧ジャッキ１２に当て、パイプサポート２０の伸長寸法を固定する。
【００４２】
そしてこの後、再び各加圧ジャッキ１２を操作して伸長させ、カウンターウエイト１およびパイプサポート２０を一体に上方に押し上げ、この押上後に加圧ジャッキ１２を縮小させるとともに、パイプサポート２０をさらに伸長させる。
【００４３】
このような工程の繰り返しにより、図１１（Ａ）に示すようにカウンターウエイト１が上方に順次押し上げられる。そしてパイプサポート２０が所定の伸長限度まで伸びたときには、図１１（Ｂ）に示すように、パイプサポート２０と加圧ジャッキ１２との間に、他の同種のパイプサポート２０ａを設け、これらパイプサポート２０ａを伸長させる動作と、加圧ジャッキ１２を縮小させる動作とを繰り返してカウンターウエイト１を順次押し上げる。
【００４４】
このようにしてカウンターウエイト１を例えば３ｍ程度揚重する。カウンターウエイト１の揚重に応じて乗りかごが３ｍ程度下降し、したがってその乗りかごの上に作業員が乗り込んで、昇降路の最上部に配置されている巻上機や制御盤に対する点検作業を行なうことができる。
【００４５】
上述の揚重作業は、電源を用いることなく行なえ、したがって停電でエレベータが非常停止した場合であっても、カウンターウエイト１を揚重して乗りかごを下げ、昇降路の最上部の巻上機や制御盤に対する点検作業を容易に実施することができる。
【００４６】
そしてカウンターウエイト１はその下方から押し上げる方式で揚重するものであるから、特に作業資格のない作業員であって作業をすることができ、またカウンターウエイト１から重り部材を降ろすような作業がないから、その重り部材の落下というような危険がなく、安全にカウンターウエイト１を揚重することができる。
【００４７】
なお、前記実施形態においては、加圧ジャッキとして油圧式のジャッキを用いたが、油圧式に限らず、例えばエアー式や水圧式あるいはボールねじ式のジャッキを用いるようなことも可能である。
【００４８】
【発明の効果】
以上説明したようにこの発明によれば、カウンターウエイトを安全かつ能率よく揚重して乗りかごを所定のレベルまで下げることができる。
【図面の簡単な説明】
【図１】この発明の一実施形態を示し、カウンターウエイトを嵩上げ台および加圧ジャッキを用いて押し上げているときの状態を示す説明図。
【図２】カウンターウエイトの押し上げ時に用いる嵩上げ台を示す斜視図。
【図３】カウンターウエイトの押し上げ時に用いる加圧ジャッキを示す斜視図。
【図４】カウンターウエイトの下方から嵩上げ台および加圧ジャッキを取り除いたときの状態を示す説明図。
【図５】嵩上げ台の変形例を示す斜視図。
【図６】カウンターウエイトに伸縮装置としてのパイプサポートを取り付けた状態を示す斜視図。
【図７】カウンターウエイトをパイプサポートおよび加圧ジャッキを用いて押し上げているときの状態を示す説明図。
【図８】パイプサポートを示す斜視図。
【図９】カウンターウエイトの一部を斜め下方から見たときの斜視図。
【図１０】パイプサポートの振れを抑える振れ止め装置を示す斜視図。
【図１１】カウンターウエイトをパイプサポートおよび加圧ジャッキを用いて押し上げているときの状態を示す説明図。
【符号の説明】
１…カウンターウエイト
２…昇降路
３…ピット
６…ガイドレール
１０…嵩上げ台
１２…加圧ジャッキ
１３…操作部
２０…パイプサポート（伸縮装置）
２１…外筒
２２…内筒
２５，２６…締め輪
３０…透孔
３２…ピン
４５…振れ止め装置
４６…パイプ
４７…係合部
５１…噛合板
５４…クランプ
【図１】
2004189344.tif 000003
【図２】
2004189344.tif 000004
【図３】
2004189344.tif 000005
【図４】
2004189344.tif 000006
【図５】
2004189344.tif 000007
【図６】
2004189344.tif 000008
【図７】
2004189344.tif 000009
【図８】
2004189344.tif 000010
【図９】
2004189344.tif 000011
【図１０】
2004189344.tif 000012
【図１１】
2004189344.tif 000013